(57)【要約】【課題】緩みを生ずることなく包装できる巻取ロール製品の表面包装機を提供する。【解決手段】巻取ロール製品Ｒを載せて回転させるための平行に配置された２本の受けロール２，３を備えており、包装紙Ｗを入側の受けロール２と巻取ロール製品Ｒとの間のニップ部に供給し、出側の受けロール３と巻取ロール製品Ｒとの間のニップ部から取出して、包装紙Ｗで巻取ロール製品Ｒを胴巻きする表面包装機であって、入側の受けロール２から巻取ロール製品Ｒを持ち上げたり降下させる持上げ装置１０を備えている。持上げ装置１０で巻取ロール製品Ｒを持ち上げ入側の受けロール２との間に隙間ｇを作れば、供給された包装紙Ｗは出側の受けロール３と巻取ロール製品Ｒとの間のニップ部に挟まれて引き込まれ、巻取ロール製品Ｒの底部に沿い緩みのない状態に巻き付けられていく。【選択図】図１
2006240626.tif 000002
【特許請求の範囲】
【請求項１】
巻取ロール製品を載せて回転させるための平行に配置された２本の受けロールを備えており、包装紙を入側の受けロールと巻取ロール製品との間のニップ部に供給し、出側の受けロールと巻取ロール製品との間のニップ部から取出して、該包装紙で巻取ロール製品を胴巻きする表面包装機であって、
入側の受けロールから巻取ロール製品を持ち上げたり降下させる持上げ装置を備えた
ことを特徴とする巻取ロール製品の表面包装機。
【請求項２】
前記持上げ装置は、巻取ロール製品の表面に接触して回転可能な持上げロールと、該持上げロールを揺動自在に支持する支持リンクと、該支持リンクを揺動させる作動シリンダとからなる
ことを特徴とする請求項１記載の巻取ロール製品の表面包装機。
【発明の詳細な説明】
【技術分野】
【０００１】
本発明は、巻取ロール製品の表面包装機に関する。さらに詳しくは、新聞紙ロールやクラフト紙ロール、中上質紙ロールなどのロール状に巻き取った巻取ロール製品を包装紙で包装する工程で使用される表面包装機に関する。
【背景技術】
【０００２】
巻取ロール製品の包装は、一般に図４に示す工程により行われる。ｉとiiは巻取ロール製品Ｒに包装紙Ｗを巻き付ける表面包装工程であり、ｉは巻き始め、iiは巻き終わりを示している。iiiは包装紙Ｗの両端の余り部分、すなわち耳を折り畳み巻取ロール製品のＲ端面に沿わせる工程、ivは耳折り部分に円形の内当紙（図示せず）と外当紙Ｆを貼付する工程である。これらの工程を実行することによって、巻取ロール製品Ｒの包装が完成する。
【０００３】
前記の表面包装工程において使用されるのが、表面包装機である（非特許文献１）。
この表面包装機の構成を図５および図６に基づき説明する。表面包装機Ｍは機台１の上に２本の受けロール２，３を平行に配置しており、出側の受けロール３はモータ４で回転駆動するようになっている。
巻取ロール製品Ｒを２本の受けロール２，３の上に載せて受けロール２，３を回転させれば、巻取ロール製品Ｒは回転するので、巻取ロール製品Ｒと入側の受けロール２との間のニップ部（挟まれる部分をいう）に包装紙Ｗを差し込めば、受けロール３と巻取ロール製品Ｒとの間のニップ部を経由して、包装紙Ｗは巻取ロール製品Ｒの外表面に沿わせられ巻き付けられる。
【０００４】
ただし上記従来技術では、つぎの問題がある。
包装紙Ｗは、受けロール２と巻取ロール製品Ｒとの間のニップ部から巻取ロール製品Ｒの直下に送り出されるが、包装紙Ｗの先端が垂れ下がるのを防止するため、ガイドプレート５を設置して、包装紙Ｗの先端が受けロール３のニップ部に挟まれるようにガイドしている。しかし、受けロール３のニップ部を通過するときに多少なりとも抵抗があるので、包装紙Ｗは受けロール２，３の間で垂れ下りＳを生じ、包装紙Ｗが緩んだままで、巻取ロール製品Ｒに巻き付けられる。このように緩みが生じたままで巻き付けると、包装後も緩みが残るので、包装紙Ｗが破れやすかったり、見栄えが悪いなどの欠陥が生じる。
【０００５】
【非特許文献１】最新紙加工便覧  紙加工便覧編集委員会編  株式会社テックタイムス  昭和６３年８月２０日発行  354頁〜356頁
【発明の開示】
【発明が解決しようとする課題】
【０００６】
本発明は上記事情に鑑み、緩みを生ずることなく包装できる巻取ロール製品の表面包装機を提供することを目的とする。
【課題を解決するための手段】
【０００７】
第１発明の巻取ロール製品の表面包装機は、巻取ロール製品を載せて回転させるための平行に配置された２本の受けロールを備えており、包装紙を入側の受けロールと巻取ロール製品との間のニップ部に供給し、出側の受けロールと巻取ロール製品との間のニップ部から取出して、該包装紙で巻取ロール製品を胴巻きする表面包装機であって、入側の受けロールから巻取ロール製品を持ち上げたり降下させる持上げ装置を備えたことを特徴とする。
第２発明の巻取ロール製品の表面包装機は、第１発明において、前記持上げ装置は、巻取ロール製品の表面に接触して回転可能な持上げロールと、該持上げロールを揺動自在に支持する支持リンクと、該支持リンクを揺動させる作動シリンダとからなることを特徴とする。
【発明の効果】
【０００８】
第１発明によれば、持上げ装置で巻取ロール製品を持ち上げ入側の受けロールとの間に隙間を作れば、供給された包装紙は出側の受けロールと巻取ロール製品との間のニップ部に挟まれて引き込まれ、巻取ロール製品の底部に沿い緩みのない状態に巻き付けられていく。ついで持上げ装置が巻取ロール製品を降ろすと、巻取ロール製品は２本の入側・出側の受けロールで支持されるので、２本の受けロールで巻取ロール製品を回転させると包装紙の胴巻きが完了する。そして、最初の段階で包装紙に緩みが生じていないので、包装完了後も緩みのない包装に仕上がる。
第２発明によれば、作動シリンダによって支持リンクを揺動させると、持上げロールを揺動させうるので、巻取ロール製品を入側の受けロールから持上げたり降ろしたりすることができる。また、持上げロールは回転自在であるので、巻取ロール製品の持ち上げ中に巻取ロール製品を回転させることが可能であり、その場合に巻取ロール製品の表面を傷付けることがない。
【発明を実施するための最良の形態】
【０００９】
つぎに、本発明の一実施形態を図面に基づき説明する。
図１は本発明の一実施形態に係る表面包装機であって、持上げ装置を作動させた状態の側面図である。図２は図１の表面包装機の正面図である。図３は図１の表面包装機において持上げ装置を退避させた状態の側面図である。
【００１０】
図１および図２において、表面包装機Ｍは、従来技術と同様に機台１、２本の受けロール２，３、モータ４を有している。本実施形態の特徴は持上げ装置１０を付加した点にある。
この持上げ装置１０は、巻取ロール製品Ｒの表面に対して回転可能な持上げロール１１と、この持上げロール１１を揺動自在に支持する支持リンク１２と、この支持リンク１２を揺動させる作動シリンダ１３とからなる。前記支持リンク１２は持上げロール１１の両端を支持している。
【００１１】
前記持上げ装置１０，１２において、作動シリンダ１３を伸長させると支持リンク１２は矢印ａ方向に揺動して持上げロール１１が巻取ロール製品Ｒを矢印Ａ方向に動かして、入側の受けロール２から持ち上げる。この結果、受けロール２と巻取ロール製品Ｒとの間に隙間ｇができる。
反対に図３に示すように、作動シリンダ１３を収縮させると、支持リンク１２が矢印ｂ方向に揺動して持上げロール１１が巻取ロール製品Ｒから離れる。このため、巻取ロール製品Ｒが矢印Ｂ方向に降下して受けロール２上に載る状態となる。
そして、上記の動作中、持上げロール１１は、回転自在であるので、巻取ロール製品Ｒの持ち上げ中に巻取ロール製品Ｒを回転させることが可能であり、その場合に巻取ロール製品Ｒの表面を傷付けることがない。
【００１２】
本実施形態の表面包装機で胴巻きをする際は、図１に示すように、持上げ装置１０で巻取ロール製品Ｒを持ち上げ入側の受けロール２との間に隙間ｇを作る。この隙間ｇを通して巻き込まれた包装紙Ｗはガイドプレート５で案内されて出側の受けロール３と巻取ロール製品Ｒのニップ部に挟まれて引き込まれる。このとき入側の包装紙Ｗは挟まれてないので抵抗がなく、充分な張力が作用しているので、巻取ロール製品Ｒの底部に沿い緩みのない状態に巻き付けられていく。ついで持上げ装置１０が巻取ロール製品Ｒを降ろすと、巻取ロール製品Ｒは２本の入側・出側の受けロール２，３で支持されるので、２本の受けロール２，３で巻取ロール製品Ｒを回転させると包装紙Ｗの胴巻きが行える。そして、上記のように最初の段階で包装紙Ｗに緩みが生じていないので、包装完了後も緩みのない包装に仕上がる。
なお、包装紙Ｗの先端が持上げロール１１に到達する以前において、再度持上げ装置１０で巻取ロール製品Ｒを持上げて、包装紙Ｗの状態を修正することも可能である。
【図面の簡単な説明】
【００１３】
【図１】本発明の一実施形態に係る表面包装機であって、持上げ装置を作動させた状態の側面図である。
【図２】図１の表面包装機の正面図である。
【図３】図１の表面包装機において持上げ装置を退避させた状態の側面図である。
【図４】巻取ロール製品の包装工程の説明図である。
【図５】従来の表面包装機の側面図である。
【図６】従来の表面包装機の正面図である。
【符号の説明】
【００１４】
２    入側の受けロール
３    出側の受けロール
１０    持上げ装置
１１    持上げロール
１２    支持リンク
１３    作動シリンダ
【図１】
2006240626.tif 000003
【図２】
2006240626.tif 000004
【図３】
2006240626.tif 000005
【図４】
2006240626.tif 000006
【図５】
2006240626.tif 000007
【図６】
2006240626.tif 000008